(57)【要約】【課題】支持脚構造を提供する。【解決手段】支持脚構造は台座、スウィング部材、支持部材およびナットを備える。台座は凸状球面、凸状球面の底部に連結された円盤部、穿孔および内部空間を有する。スウィング部材は凹状球面、底側辺縁部、貫通孔および外側先端部を有する。凹状球面は台座の凸状球面の全体に接触してスウィングできるように配置される。底側辺縁部は凹状球面の底部に位置する。支持部材はボルトおよびストッパーを有する。ボルトは台座の穿孔およびスウィング部材の貫通孔に差し込まれる。ストッパーは台座の内部空間に位置し、ボルトと一体になるか連結されることによって台座の穿孔からの逸脱を抑制する。ナットは支持部材のボルトに締め付けられてスウィング部材の外側先端部に当接するが、これに限らない。別の一つの支持脚構造において、ナットはスウィング部材と連結されて一体になる。【選択図】図３
2019219055.tif 000002
【特許請求の範囲】
【請求項１】
台座（１０）、スウィング部材（２０）、支持部材（３０）およびナット（４０）を備え、
前記台座（１０）は凸状球面（１１）、前記凸状球面（１１）の底部に連結された円盤部（１２）、穿孔（１３）および内部空間（１４）を有し、
前記スウィング部材（２０）は凹状球面（２１）、底側辺縁部（２２）、貫通孔（２３）および外側先端部（２４）を有し、前記凹状球面（２１）は前記台座（１０）の前記凸状球面（１１）の全体に接触してスウィングできるように配置され、前記底側辺縁部（２２）は前記凹状球面（２１）の底部に位置し、
前記支持部材（３０）はボルト（３１）およびストッパー（３３）を有し、前記ボルト（３１）は前記台座（１０）の前記穿孔（１３）および前記スウィング部材（２０）の前記貫通孔（２３）に差し込まれ、前記ストッパー（３３）は前記台座（１０）の前記内部空間（１４）に位置し、前記ボルト（３１）と一体になるか連結されることによって前記台座（１０）の前記穿孔（１３）からの逸脱を抑制し、
前記ナット（４０）は前記支持部材（３０）の前記ボルト（３１）に締め付けられて前記スウィング部材（２０）の前記外側先端部（２４）に当接することを特徴とする、
支持脚構造。
【請求項２】
さらにマット（７０）を備え、前記マット（７０）は前記台座（１０）の前記円盤部（１２）に配置され、前記台座（１０）はさらに第一嵌合部（１７）を有し、前記マット（７０）は前記台座（１０）の前記第一嵌合部（１７）と嵌り合う第二嵌合部（７２）を有することを特徴とする請求項１に記載の支持脚構造。
【請求項３】
前記支持部材（３０）は軸方向に沿って伸びる中空円筒状であり、前記ストッパー（３３）はラッパ形状であることを特徴とする請求項１に記載の支持脚構造。
【請求項４】
前記スウィング部材（２０）の前記凹状球面（２１）は中心線に対応する夾角（Ａ１）が６０度から８０度の間であることを特徴とする請求項１乃至３のいずれか一項に記載の支持脚構造。
【請求項５】
前記台座（１０）の前記凸状球面（１１）と前記スウィング部材（２０）の前記凹状球面（２１）の夾角差（Ａ２）は５度から３０度の間であることを特徴とする請求項１乃至３のいずれか一項に記載の支持脚構造。
【請求項６】
台座（１０）、スウィング部材（２０）および支持部材（３０）を備え、
前記台座（１０）は凸状球面（１１）、前記凸状球面（１１）の底部に連結された円盤部（１２）、穿孔（１３）および内部空間（１４）を有し、
前記スウィング部材（２０）は凹状球面（２１）、ねじ孔（２３Ａ）および底側辺縁部（２２）を有し、前記凹状球面（２１）は前記台座（１０）の前記凸状球面（１１）の全体に接触してスウィングできるように配置され、前記底側辺縁部（２２）は前記凹状球面（２１）の底部に位置し、
前記支持部材（３０）はボルト（３１）およびストッパー（３３）を有し、前記ボルト（３１）は前記台座（１０）の前記穿孔（１３）に差し込まれて前記スウィング部材（２０）のねじ孔（２３Ａ）に締め付けられ、前記ストッパー（３３）は前記台座（１０）の前記内部空間（１４）に位置し、前記ボルト（３１）と一体になるか連結されることによって前記台座（１０）の前記穿孔（１３）からの逸脱を抑制することを特徴とする、
支持脚構造。
【請求項７】
さらにマット（７０）を備え、前記マット（７０）は前記台座（１０）の前記円盤部（１２）に配置され、前記台座（１０）はさらに第一嵌合部（１７）を有し、前記マット（７０）は前記台座（１０）の前記第一嵌合部（１７）と嵌り合う第二嵌合部（７２）を有することを特徴とする請求項６に記載の支持脚構造。
【請求項８】
前記支持部材（３０）は軸方向に沿って伸びる中空円筒状であり、前記ストッパー（３３）はラッパ形状であることを特徴とする請求項６に記載の支持脚構造。
【請求項９】
前記スウィング部材（２０）の前記凹状球面（２１）は中心線に対応する夾角（Ａ１）が６０度から８０度の間であることを特徴とする請求項６乃至８のいずれか一項に記載の支持脚構造。
【請求項１０】
前記台座（１０）の前記凸状球面（１１）と前記スウィング部材（２０）の前記凹状球面（２１）の夾角差（Ａ２）は５度から３０度の間であることを特徴とする請求項６乃至８のいずれか一項に記載の支持脚構造。
【発明の詳細な説明】
【技術分野】
【０００１】
本発明は、支持技術に関し、詳しくは機械または機具を支えるための支持脚構造に関するものである。
【背景技術】
【０００２】
周知の支持脚構造は接触および支持面積が限られ、比較的重いものに耐える際に圧迫されて変形することが起りやすいため、十分な強度を維持するには材料の厚みを増やすことが必要であるが、その一方で材料およびその重さを増加させてしまうことが欠点である。従って、周知の支持脚構造には改善の余地がある。
【発明の概要】
【発明が解決しようとする課題】
【０００３】
本発明は上述した欠点に鑑み、安定性および丈夫さを向上させ、角度および支持力を増大させることができる支持脚構造を提供することを主な目的とする。
【課題を解決するための手段】
【０００４】
上述した課題を解決するため、支持脚構造は台座、スウィング部材、支持部材およびナットを備える。台座は凸状球面、凸状球面の底部に連結された円盤部、穿孔および内部空間を有する。スウィング部材は凹状球面、底側辺縁部、貫通孔および外側先端部を有する。凹状球面は台座の凸状球面の全体に接触してスウィングできるように配置される。底側辺縁部は凹状球面の底部に位置する。支持部材はボルトおよびストッパーを有する。ボルトは台座の穿孔およびスウィング部材の貫通孔に差し込まれる。ストッパーは台座の内部空間に位置し、ボルトと一体になるか連結されることによって台座の穿孔からの逸脱を抑制する。ナットは支持部材のボルトに締め付けられてスウィング部材の外側先端部に当接する。
【０００５】
凸状球面および凹状球面は相互に対応することによって偏倚角度を適切に成すことができ、球面全体を相互に対応させることによって十分な支持強度を生じることができる。
【０００６】
比較的好ましい場合、支持脚構造はさらにマットを備える。マットは台座の円盤部に配置される。台座は第一嵌合部を有する。マットは台座の第一嵌合部と嵌り合う第二嵌合部を有する。
【０００７】
比較的好ましい場合、支持部材は軸方向に沿って伸びる中空円筒状である。ストッパーはラッパ状である。
【０００８】
比較的好ましい場合、スウィング部材の凹状球面は中心線に対応する夾角が６０度から８０度の間である。
【０００９】
比較的好ましい場合、台座の凸状球面とスウィング部材の凹状球面の夾角差は５度から３０度の間である。
【００１０】
上述した課題を解決するため、他の一つの支持脚構造は台座、スウィング部材および支持部材を備える。台座は凸状球面、凸状球面の底部に連結された円盤部、穿孔および内部空間を有する。スウィング部材は凹状球面、ねじ孔および底側辺縁部を有する。凹状球面は台座の凸状球面の全体に接触してスウィングできるように配置される。底側辺縁部は凹状球面の底部に位置する。支持部材はボルトおよびストッパーを有する。ボルトは台座の穿孔に差し込まれてスウィング部材のねじ孔に締め付けられる。ストッパーは台座の内部空間に位置し、ボルトと一体になるか連結されることによって台座の穿孔からの逸脱を抑制する。
【００１１】
凸状球面および凹状球面は相互に対応することによって偏倚角度を適切に成すことができ、球面全体を相互に対応させることによって十分な支持強度を生じることができる。
【００１２】
比較的好ましい場合、支持脚構造はさらにマットを備える。マットは台座の円盤部に配置される。台座は第一嵌合部を有する。マットは台座の第一嵌合部と嵌り合う第二嵌合部を有する。
【００１３】
比較的好ましい場合、支持部材は軸方向に沿って伸びる中空円筒状である。ストッパーはラッパ状である。
【００１４】
比較的好ましい場合、スウィング部材の凹状球面は中心線に対応する夾角が６０度から８０度の間である。
【００１５】
比較的好ましい場合、台座の凸状球面とスウィング部材の凹状球面の夾角差は５度から３０度の間である。
【図面の簡単な説明】
【００１６】
【図１】本発明の一実施形態を示す斜視図である。
【図２】本発明の一実施形態を示す分解斜視図である。
【図３】本発明の一実施形態を示す断面図である。
【図４】本発明の一実施形態において台座およびスウィング部材が分離した状態を示す断面図である。
【図５】本発明の一実施形態において台座およびスウィング部材が結合した状態を示す断面図である。
【図６】本発明の一実施形態において偏倚しながら支持する状態を示す断面図である。
【図７】本発明の他の一つの実施形態を示す斜視図である。
【図８】本発明の他の一つの実施形態を示す分解斜視図である。
【図９】本発明の他の一つの実施形態を示す断面図である。
【図１０】本発明の他の一つの実施形態において台座およびスウィング部材が分離した状態を示す断面図である。
【図１１】本発明のもう一つの実施形態を示す斜視図である。
【図１２】本発明のもう一つの実施形態を示す分解斜視図である。
【図１３】本発明のもう一つの実施形態を示す断面図である。
【図１４】本発明の他の一つの実施形態を示す断面図である。
【図１５】本発明において台座およびマットが分離した状態を示す斜視図である。
【図１６】本発明において台座およびマットが分離した状態を示す断面図である。
【図１７】本発明において台座およびマットが結合した状態を示す断面図である。
【図１８】本発明において他の一つの台座および他の一つのマットが分離した状態を示す斜視図である。
【図１９】本発明において他の一つの台座および他の一つのマットが分離した状態を示す断面図である。
【図２０】本発明において他の一つの台座および他の一つのマットが結合した状態を示す断面図である。
【図２１】本発明においてもう一つの台座およびもう一つのマットが分離した状態を示す斜視図である。
【図２２】本発明においてもう一つの台座およびもう一つのマットが分離した状態を示す断面図である。
【図２３】本発明においてもう一つの台座およびもう一つのマットが結合した状態を示す断面図である。
【発明を実施するための形態】
【００１７】
以下、本発明による支持脚構造を図面に基づいて説明する。
【００１８】
（一実施形態）
図１から図６に示すように、本発明の一実施形態による支持脚構造は台座１０、スウィング部材２０、支持部材３０およびナット４０を備える。
【００１９】
台座１０は、凸状球面１１、凸状球面１１の底部に連結された円盤部１２、穿孔１３および内部空間１４を有する。
【００２０】
スウィング部材２０は、凹状球面２１、底側辺縁部２２、貫通孔２３および外側先端部２４を有する。凹状球面２１は台座１０の凸状球面１１の全体に接触してスウィングできるように配置される。底側辺縁部２２は凹状球面２１の底部に位置する。
【００２１】
支持部材３０はボルト３１、ヘッド部３２およびストッパー３３を有する。ボルト３１は台座１０の穿孔１３およびスウィング部材２０の貫通孔２３に差し込まれる。ヘッド部３２はボルト３１に連結される。ストッパー３３は台座１０の内部空間１４に位置し、ボルト３１と一体になるか連結されることによって台座１０の穿孔１３からの逸脱を抑制する。
【００２２】
ナット４０は、支持部材３０のボルト３１に締め付けられてスウィング部材２０の外側先端部２４に当接する。
【００２３】
スウィング部材２０の凹状球面２１は中心線に対応する夾角Ａ１が６０度から８０度の間、例えば６０度から６５度、６５度から７０度、７０度から７５度または７５度から８０度の間である。
【００２４】
台座１０の凸状球面１１とスウィング部材２０の凹状球面２１の夾角差Ａ２は５度から３０度の間、例えば５度から１０度、１０度から１５度、１５度から２０度、２０度から２５度または２５度から３０度の間である。
【００２５】
凸状球面１１および凹状球面２１は相互に対応することによって偏倚角度を適切に成すことができ、球面全体を相互に対応させることによって十分な支持強度を生じることができる。
【００２６】
（一実施形態）
図７から図１０に示すように、本発明の他の一つの実施形態による支持脚構造は台座１０、スウィング部材２０および支持部材３０を備える。
【００２７】
台座１０は、凸状球面１１、凸状球面１１の底部に連結された円盤部１２、穿孔１３および内部空間１４を有する。
【００２８】
スウィング部材２０は、凹状球面２１、ねじ孔２３Ａ、底側辺縁部２２および外側先端部２４を有する。凹状球面２１は台座１０の凸状球面１１の全体に接触してスウィングできるように配置される。底側辺縁部２２は凹状球面２１の底部に位置する。外側先端部２４はナット４０とスウィング部材２０とが一体になることによって形成される。締付状態および固定状態を安定させるために、外側先端部２４の頂面が平面になれば比較的好ましい。
【００２９】
支持部材３０は、ボルト３１、ヘッド部３２およびストッパー３３を有する。ボルト３１は台座１０の穿孔１３に差し込まれてスウィング部材２０のねじ孔２３Ａに締め付けられる。ヘッド部３２はボルト３１に連結される。ストッパー３３は台座１０の内部空間１４に位置し、ボルト３１と一体になるか連結されることによって台座１０の穿孔１３からの逸脱を抑制する。
【００３０】
スウィング部材２０の凹状球面２１は円心に対応する夾角が６０度から８０度の間、例えば６０度から６５度、６５度から７０度、７０度から７５度または７５度から８０度の間であるが、これに限らず、さらに小さい区間を定義し、最良の状態を１５０度に設定することができる。
【００３１】
台座１０の凸状球面１１とスウィング部材２０の凹状球面２１の夾角差Ａ２は５度から３０度の間、例えば５度から１０度、１０度から１５度、１５度から２０度、２０度から２５度または２５度から３０度の間である。
【００３２】
凸状球面１１および凹状球面２１は相互に対応することによって偏倚角度を適切に成すことができ、球面全体を相互に対応させることによって十分な支持強度を生じることができる。
【００３３】
上述した実施形態と比べて、本実施形態はスウィング部材２０と支持部材３０の結合をより一層安定させることができる。
【００３４】
（一実施形態）
図１１から図１３に示したのは本発明のもう一つの実施形態による支持脚構造である。上述した実施形態との違いは下記のとおりである。
【００３５】
本実施形態において、支持部材３０は軸方向に沿って伸びる中空円筒状である。ストッパー３３はラッパ状である。外側先端部２４は頂面が平面であるため、締付状態および固定状態をより一層安定させることができる。上述した構造特徴によって、支持部材３０を軽量化し、ストッパー３３の製作を簡単化することができる。
【００３６】
（一実施形態）
図１４は本発明の他の一つの実施形態による支持脚構造を示す断面図である。上述した実施形態との違いは下記のとおりである。
【００３７】
本実施形態はボルト３１と一体になるヘッド部３２を配置せず、着脱できるナット３２Ａを採用するため、支持部材３０を上方から装着することができるだけでなく、組立作業の利便性を向上させることができる。
【００３８】
（一実施形態）
図１５から図１７に示すように、本発明の他の一つの実施形態による支持脚構造はさらにマット７０を備える。マット７０は台座１０の円盤部１２に配置される。台座１０はさらに第一嵌合部１７を有する。マット７０は台座１０の第一嵌合部１７と嵌り合う第二嵌合部７２を有する。
【００３９】
（一実施形態）
図１８から図２０に示すように、本発明の他の一つの実施形態による支持脚構造はさらにマット７０を備える。マット７０は台座１０の円盤部１２に配置される。台座１０はさらに第一嵌合部１７を有する。マット７０は台座１０の第一嵌合部１７と嵌り合う第二嵌合部７２を有する。
【００４０】
（一実施形態）
図２１から図２３に示すように、本発明の他の一つの実施形態による支持脚構造はさらにマット７０を備える。マット７０は台座１０の円盤部１２に配置される。台座１０はさらに円盤部１２の下方に形成された壁面１５および第一嵌合部１７を有する。マット７０は台座１０の第一嵌合部１７と嵌り合う第二嵌合部７２を有する。
【００４１】
上述した実施形態において、台座１０の凸状球面１１は形が半球面であるか、半球面より大きい。
【００４２】
上述をまとめると、本発明による支持脚構造は凸状球面１１および凹状球面２１を相互に対応させて偏倚角度を適切に成すことができるだけでなく、球面全体を相互に対応させて十分な支持強度を達成することができ、即ち、本発明の目的を確実に達成することができる。
【符号の説明】
【００４３】
１０  台座
１１  凸状球面
１２  円盤部
１３  穿孔
１４  内部空間
１５  壁面
１７  第一嵌合部
２０  スウィング部材
２１  凹状球面
２２  底側辺縁部
２３  貫通孔
２３Ａ  ねじ孔
２４  外側先端部
３０  支持部材
３１  シャフト
３２  ヘッド部
３２Ａ  ナット
３３  ストッパー
４０  ナット
５０  ナット
６０  支持用ナット
７０  マット
７２  第二嵌合部
Ａ１  夾角
Ａ２  夾角差
【図１】
2019219055.tif 000003
【図２】
2019219055.tif 000004
【図３】
2019219055.tif 000005
【図４】
2019219055.tif 000006
【図５】
2019219055.tif 000007
【図６】
2019219055.tif 000008
【図７】
2019219055.tif 000009
【図８】
2019219055.tif 000010
【図９】
2019219055.tif 000011
【図１０】
2019219055.tif 000012
【図１１】
2019219055.tif 000013
【図１２】
2019219055.tif 000014
【図１３】
2019219055.tif 000015
【図１４】
2019219055.tif 000016
【図１５】
2019219055.tif 000017
【図１６】
2019219055.tif 000018
【図１７】
2019219055.tif 000019
【図１８】
2019219055.tif 000020
【図１９】
2019219055.tif 000021
【図２０】
2019219055.tif 000022
【図２１】
2019219055.tif 000023
【図２２】
2019219055.tif 000024
【図２３】
2019219055.tif 000025